(57)【要約】【目的】ステータコアの各磁極部ごとに分割型のコイルボビンを装着するに際して、少ない部品点数をもって、ステータコアの積層厚に多様に適応できるようにする。【構成】ヨーク部、磁極部および爪部からなるステータコアの各磁極部にコイルボビンを組み付けた構造の回転電機のステータにあって、磁極部ごとに取り付けられ、磁極部側方の三面をおおうアンダー部材と、各磁極部にそれぞれ取り付けられたアンダー部材の同一側に配された各開放面を閉塞するように全てのアンダー部材に対して共通に組み付けられるアッパー部材とによって分割型のコイルボビンを形成するようにする。【選択図】　　　図２
2004015994.tif 000002
【特許請求の範囲】
【請求項１】
ヨーク部、磁極部および爪部からなるステータコアの各磁極部にコイルボビンを組み付けた構造の回転電機のステータにあって、各磁極部ごとに取り付けられ、磁極部側方の三面をおおうアンダー部材と、各磁極部にそれぞれ取り付けられたアンダー部材の同一側に配された各開放面を閉塞するように全てのアンダー部材に対して共通に組み付けられるアッパー部材とによって分割型のコイルボビンを形成するようにしたことを特徴とする回転電機のステータコア。
【請求項２】
アッパー部材に、各磁極部のコイルボビンにそれぞれ巻装されるコイルの端末の結線処理を行うためのコイル接続部材が一体的に形成されていることを特徴とする請求項１の記載による回転電機のステータコア。
【発明の詳細な説明】
【０００１】
【産業上の利用分野】
本発明は、ヨーク部、磁極部および爪部からなるステータコアの各磁極部に、分割型のコイルボビンを組み付けた構造の回転電機のステータに関する。
【０００２】
【従来の技術】
従来、アウターロータ型のステータにあっては、ヨーク部、磁極部および爪部からなるステータコアの各磁極部にコイルボビンを装着するに際して、その装着の容易性、熱応力の吸収などを図るために、各磁極部ごとにその両側からそれぞれコイルボビンを２つに分割した各断面コ字状の要素をつき合せて組み付けるようにしたものが開発されている（特開２０００−３２６９４号公報および実開昭５８−１２４０５１号公報参照）。
【０００３】
【発明が解決しようとする課題】
解決しようとする問題点は、ステータコアを形成する積層板が同一形状、同一サイズのものを用いて、その積層板の積層数を変化させて回転電機の要求される出力特性に応じたステータを使い分けるようにする場合、従来ではステータコアの積層厚に適合するサイズの分割型のコイルボビンをそれぞれ用意するようにしており、部品点数が増大するとともに、それぞれ各分割された要素のサイズの異なる金型を多数必要とするなど生産性の悪いものになっていることである。
【０００４】
【課題を解決するための手段】
本発明は、ヨーク部、磁極部および爪部からなるステータコアの各磁極部にコイルボビンを組み付けた構造の回転電機のステータにあって、各磁極部ごとに分割型のコイルボビンを装着するに際して、少ない部品点数をもって、ステータコアの積層厚に多様に適応できるようにするべく、磁極部ごとに取り付けられ、磁極部側方の三面をおおうアンダー部材と、各磁極部にそれぞれ取り付けられたアンダー部材の同一側に配された各開放面を閉塞するように全てのアンダー部材に対して共通に組み付けられるアッパー部材とによって分割型のコイルボビンを形成するようにしている。
【０００５】
【実施例】
本発明は、図１に示すように、ヨーク部１、磁極部２および爪部３からなるステータコア４の各磁極部２にコイルボビン５を組み付けた構造の回転電機のステータにあって、図２および図３に示すように、各磁極部２ごとに取り付けられ、磁極部２の側方の三面をおおう断面コ字状のアンダー部材５１と、各磁極部２にそれぞれ取り付けられたアンダー部材５１の同一側に配された各開放面６を閉塞するように、全てのアンダー部材５１に対して共通に組み付けられるアッパー部材５２とによって分割型のコイルボビン５を形成するようにしている。
【０００６】
アッパー部材５２には、各磁極部２のコイルボビン５にそれぞれ巻装されるコイルの端末の結線処理を行うためのコイル接続部材７が一体的に形成されている。
【０００７】
このような構成による回転電機のステータコアによれば、ステータコア４の各磁極部２の一側方から開放面６をもってアンダー部材５１を差し込むようにしてそれぞれ取り付けたうえで、各磁極部２に取り付けられたアンダー部材５１に対してアッパー部材５２を組み付けることによって、ステータコア４にコイルボビン５を容易に装着することができるようになる。
【０００８】
そして、そのコイルボビン５が各磁極部２ごとに取り付けられるアンダー部材５１と全てのアンダー部材５１に対して共通に取り付けられる分割構造であるために、コイルボビン５にかかる熱応力や巻線応力を有効に吸収して、破損を防止できるようになる。
【０００９】
また、ステータコア４を形成する積層板が同一形状、同一サイズのものを用いて、ステータコア４の積層板の積層数を変化させて回転電機の要求される出力特性に応じたステータを使い分けるようにする場合、図４ないし図６に示すように、積層板の積層数が異なるステータコア４１，４２，４３に対してそれぞれコイルボビンを装着するに際して、少ない部品点数をもって、各ステータコア４１，４２，４３の積層厚に多様に適応できるようになる。
【００１０】
すなわち、積層板の積層数が異なるステータコア４１，４２，４３に対してそれぞれコイルボビンを装着する場合には、各ステータコア４１，４２，４３の積層厚Ｄ１，Ｄ２，Ｄ３にそれぞれ応じた長さＬ１，Ｌ２，Ｌ３をもったアンダー部材５１１，５１２，５１３をそれぞれ用意しておけば、それら各アンダー部材５１１，５１２，５１３に対して共通のアッパー部材５２を用いることが可能になる。
【００１１】
したがって、ステータコア４１，４２，４３の積層厚に応じたサイズの異なるアンダー部材５１１，５１２，５１３を作製する金型をそれぞれ用いるだけで、アッパー部材５２を作製する金型は一つですみ、生産性が向上する。
【００１２】
【効果】
以上、本発明は、ヨーク部、磁極部および爪部からなるステータコアの各磁極部にコイルボビンを組み付けた構造の回転電機のステータにあって、磁極部ごとに取り付けられ、磁極部側方の三面をおおうアンダー部材と、各磁極部にそれぞれ取り付けられたアンダー部材の同一側に配された各開放面を閉塞するように全てのアンダー部材に対して共通に組み付けられるアッパー部材とによって分割型のコイルボビンを形成するようにしたもので、各磁極部ごとに分割型のコイルボビンを容易に装着することができ、また少ない部品点数をもってステータコアの積層厚に多様に適応できるようになり、生産性が向上するという利点を有している。
【図面の簡単な説明】
【図１】
本発明による回転電機のステータコアの一実施例を示す斜視図である。
【図２】
同実施例におけるステータコアに分割型のコイルボビンを取り付ける状態を示
す分解斜視図である。
【図３】
同実施例における分割型のコイルボビンを示す分解斜視図である。
【図４】
同実施例におけるステータコアの積層厚に応じた分割型コイルボビンの一例を
示す分解斜視図である。
【図５】
同実施例におけるステータコアの積層厚に応じた分割型コイルボビンの他の例
を示す分解斜視図である。
【図６】
同実施例におけるステータコアの積層厚に応じた分割型コイルボビンのさらに他の例を示す分解斜視図である。
【符号の説明】
１　ヨーク部
２　磁極部
３　爪部
４　ステータコア
５　コイルボビン
５１　アンダー部材
５２　アッパー部材
６　開放面
【図１】
2004015994.tif 000003
【図２】
2004015994.tif 000004
【図３】
2004015994.tif 000005
【図４】
2004015994.tif 000006
【図５】
2004015994.tif 000007
【図６】
2004015994.tif 000008